(57)【要約】【課題】  屋根の支持組における鉄骨接合部のボルト配設部位であっても、ボルト頭（ナット）の干渉を受けず、また、溶接作業を必要とせずとも屋根材を確実に支持する支持組構造を構築することができる鉄骨建造物における屋根支持組施工方法、支持組構造、および屋根の支持組用の繋ぎ台座を提供すること。【解決手段】  Ｈ鋼梁２の上フランジ21のＨ鋼梁突合せ連結部におけるボルト配設部位に両端部近傍に雌ネジ孔11・11を貫設した繋ぎ台座１を配置して、当該台座１の両端部を前記母屋桁４・４の溝部41・41に差込ましめ、前記繋ぎ台座１の前記雌ネジ孔11・11に突っ張りネジ12・12を捻込んで当該繋ぎ台座１全体を浮上させて、母屋桁４・４の溝部41・41に差込み状態にある台座１の両端部を各々溝部41に圧接せしめ、母屋桁４・４と繋ぎ台座１の上面レベルを面一に緊結固定して屋根材支持面を形成するという技術的手段を採用した。【選択図】  図１
2005146710.tif 000002
【特許請求の範囲】
【請求項１】
Ｈ鋼梁２と２の突合わせ部位同士を継目板23・23を介し緊結ボルト３・３…により連結して鉄骨建造物における屋根の支持組構造を構築する方法であって、
前記Ｈ鋼梁２の上フランジ21に、前記緊結ボルト３・３…が左右に列設された当該Ｈ鋼梁突合せ連結部におけるボルト配設部位を空けて、屋根材Ｙを支持するためのチャンネル形の母屋桁４・４…を配設する一方、
この母屋桁４と４との間に空いた前記上フランジ21上のボルト配設部位には、両端部近傍に雌ネジ孔11・11を貫設した繋ぎ台座１を上フランジの左右に並ぶ緊結ボルト３・３…の挟間部に配置して、当該台座１の両端部を前記母屋桁４・４の溝部41・41に差込ましめ、次いで、前記繋ぎ台座１の前記雌ネジ孔11・11に突っ張りネジ12・12を捻込んで当該ネジの先端部12ａ・12ａを挟間部に位置する継目板23に螺進せしめることにより当該繋ぎ台座１全体を浮上させて、母屋桁４・４の溝部41・41に差込み状態にある台座１の両端部を各々溝部41に圧接せしめ、母屋桁４・４と繋ぎ台座１の上面レベルを面一に緊結固定して屋根材支持面を形成することを特徴とする鉄骨建造物における屋根支持組施工方法。
【請求項２】
繋ぎ台座１の雌ネジ孔11に頭無の突っ張りネジ12を螺入して締め付けた後、当該雌ネジ孔11に被せネジ13を螺入することによって、前記突っ張りネジ12をダブルナット式に緊結することを特徴とする請求項１記載の鉄骨建造物における屋根支持組施工方法。
【請求項３】
母屋桁４としてリップ溝形鋼を使用することを特徴とする請求項１または２記載の鉄骨建造物における屋根支持組施工方法。
【請求項４】
屋根材Ｙとして折板屋根材を敷き詰める屋根において、当該折板屋根材を載置するタイトフレームＦを繋ぎ台座１の上面に支持することを特徴とする請求項１〜３の何れか一つに記載の鉄骨建造物における屋根支持組施工方法。
【請求項５】
鉄骨建造物の屋根の支持組構造であって、緊結ボルト３・３…によってＨ鋼梁２と２とが突合わせ状態に連結されたＨ鋼梁２・２の上フランジ21を継目板23を介し連結している左右の緊結ボルト３・３…の挟間部には繋ぎ台座１が配置されており、この繋ぎ台座１の両端部はＨ鋼梁２の上フランジ21の中央に沿って配設された屋根材支持用のチャンネル形母屋桁４・４の端部に開口する溝部41と41とに差込状態にあり、かつ、当該繋ぎ台座１の両端部近傍の各々には突っ張りネジ12・12が螺入されて同ネジの先端部12ａ・12ａが前記継目板23上に突っ張り圧接して繋ぎ台座１の上面を前記母屋桁４・４の上面レベルと面一に緊結保持していることを特徴とする鉄骨建造物における屋根の支持組構造。
【請求項６】
屋根材Ｙとして折板屋根材が敷き詰められた屋根において、当該折板屋根材を載置するタイトフレームＦを繋ぎ台座１の上面に支持していることを特徴とする請求項５記載の鉄骨建造物における屋根の支持組構造。
【請求項７】
一対の溝形鋼１Ａと１Ｂのウェブ14・14同士を背合せ状態に接合して成る棒材であっ
て、当該棒材の両端部には低段部15・15が形成されていると共に、この低段部15・15近傍に位置する前記ウェブ14・14同士が接合された接合部には突っ張りネジ12を捻込むための雌ネジ孔11・11が貫設されていることを特徴とする鉄骨建造物における屋根支持組用の繋ぎ台座。
【請求項８】
溝形鋼１Ａ・１Ｂの断面が略Ｃ型断面または略コの字型断面であることを特徴とする請求項７記載の鉄骨建造物における屋根支持組用の繋ぎ台座。
【請求項９】
雌ネジ孔11に頭無ネジである突っ張りネジ12が螺装され、かつ、突っ張りネジ12の螺入後に被せネジ13を螺入してダブルナット式に緊結できることを特徴とする請求項７または８記載の鉄骨建造物における屋根支持組用の繋ぎ台座。
【発明の詳細な説明】
【技術分野】
【０００１】
本発明は、屋根支持組の改良、更に詳しくは、屋根の支持組における鉄骨接合部のボルト配設部位であっても、ボルト頭（ナット）の干渉を受けず、また、溶接作業を必要とせずとも屋根材を確実に支持する支持組構造を構築することができる鉄骨建造物における屋根支持組施工方法、および、十分な強度で屋根材を確実に支持することができる鉄骨建造物における屋根の支持組構造、および、構成が簡単で、かつ、ネジを捻込む簡単な作業のみで設置することができる鉄骨建造物における屋根の支持組用の繋ぎ台座に関するものである。
【背景技術】
【０００２】
周知のとおり、鉄骨建造物において屋根材を支持するためには、天井の鉄骨に母屋桁などを配置して支持組を形成するのであるが（例えば、特許文献１参照）、かかる支持組を施工する場合には、以下のような問題がある。
【０００３】
まず、鉄骨建造物においては、Ｈ鋼梁上面で屋根材を支持するため、支持組に使用する母屋桁として、例えば、リップ溝形鋼などの軽量形鋼が当該鉄骨フランジの上面に設置されている。
【０００４】
しかしながら、鉄骨建造物の骨組み構造は、鉄骨の端部を突き合わせて、フランジおよびウェッジに継目板を添えてボルトで締結することによって、一体に接合される箇所を有しているため、かかる鉄骨突合わせ部位においては、この締結したボルト頭（またはナット）が不可避的に突出してしまい、その位置には屋根材を支持するための母屋桁が配置できないという問題があった。
【０００５】
そのため、従来、図７に示すように、ボルト配設部位にあっては、途切れた母屋桁の端部同士を繋ぐように鉄板Ｓを掛架して溶接することにより、屋根材の支持部を形成していた。
【０００６】
ところで、鉄骨建造物の屋根材には、折曲した鉄板薄板を配列して成る折板屋根が多用されており、かかる折板屋根を設置する場合、タイトフレーム（Ｖ字型の受け部材）を母屋桁で支持する必要があるが、荷重が局部的にかかるため、前記鉄板Ｓの如き溶接接合では、高熱による鉄骨材料の変質を生じるおそれもあることから、支持力が不十分となって非常に危険である。
【０００７】
また、施工の上でも、まず、鉄工業者が鉄骨の接合組立の作業を行い、一旦、撤収した後、次に塗装業者が錆止め塗装および補修塗装（タッチアップ）を行った後、再度、鉄工業者が鉄板Ｓの溶接のために工事をせねばならず、電気配線などの準備作業が面倒であるし、二度手間の作業となって非効率的であり、工期の遅延およびコスト増を招くという不満があった。
【特許文献１】特開平８−４１８７号公報  （第２−３頁、第１−４図）
【発明の開示】
【発明が解決しようとする課題】
【０００８】
本発明は、従来の屋根支持組に上記のような問題があったことに鑑みて為されたものであり、その目的とするところは、屋根の支持組における鉄骨突合わせ部位のボルト配設部位であっても、ボルト頭（ナット）の干渉を受けず、また、溶接作業を必要とせずとも屋根材を確実に支持する支持組構造を構築することができる鉄骨建造物における屋根支持組施工方法を提供することを技術的課題とする。
【０００９】
また、本発明は、十分な強度で屋根材を確実に支持することができる鉄骨建造物における屋根の支持組構造を提供することを技術的課題とする。
【００１０】
更にまた、本発明は、構成が簡単で、かつ、ネジを捻込む簡単な作業のみで設置することができる鉄骨建造物における屋根の支持組用の繋ぎ台座を提供することを技術的課題とする。
【課題を解決するための手段】
【００１１】
本発明者が上記課題を解決するために採用した手段を添付図面を参照して説明すれば次のとおりである。
【００１２】
即ち、本発明は、Ｈ鋼梁２と２の突合わせ部位同士を継目板23・23を介し緊結ボルト３・３…により連結して鉄骨建造物における屋根の支持組構造を構築する方法であって、
前記Ｈ鋼梁２の上フランジ21に、前記緊結ボルト３・３…が左右に列設された当該Ｈ鋼梁突合せ連結部におけるボルト配設部位を空けて、屋根材Ｙを支持するためのチャンネル形の母屋桁４・４…を配設する一方、
この母屋桁４と４との間に空いた前記上フランジ21上のボルト配設部位には、両端部近傍に雌ネジ孔11・11を貫設した繋ぎ台座１を上フランジの左右に並ぶ緊結ボルト３・３…の挟間部に配置して、当該台座１の両端部を前記母屋桁４・４の溝部41・41に差込ましめ、次いで、前記繋ぎ台座１の前記雌ネジ孔11・11に突っ張りネジ12・12を捻込んで当該ネジの先端部12ａ・12ａを挟間部に位置する継目板23に螺進せしめることにより当該繋ぎ台座１全体を浮上させて、母屋桁４・４の溝部41・41に差込み状態にある台座１の両端部を各々溝部41に圧接せしめ、母屋桁４・４と繋ぎ台座１の上面レベルを面一に緊結固定して屋根材支持面を形成するという技術的手段を採用することによって、鉄骨建造物における屋根支持組施工方法を完成させた。
【００１３】
また、本発明は、上記課題を解決するために、必要に応じて上記手段に加え、繋ぎ台座１の雌ネジ孔11に頭無の突っ張りネジ12を螺入して締め付けた後、当該雌ネジ孔11に被せネジ13を螺入することによって、前記突っ張りネジ12をダブルナット式に緊結するという技術的手段を採用した。
【００１４】
更にまた、本発明は、上記課題を解決するために、必要に応じて上記手段に加え、母屋桁４としてリップ溝形鋼を使用するという技術的手段を採用した。
【００１５】
更にまた、本発明は、上記課題を解決するために、必要に応じて上記手段に加え、屋根材Ｙとして折板屋根材を敷き詰める屋根において、当該折板屋根材を載置するタイトフレームＦを繋ぎ台座１の上面に支持するという技術的手段を採用した。
【００１６】
また、本発明は、鉄骨建造物の屋根の支持組構造であって、緊結ボルト３・３…によってＨ鋼梁２と２とが突合わせ状態に連結されたＨ鋼梁２・２の上フランジ21を継目板23を介し連結している左右の緊結ボルト３・３…の挟間部には繋ぎ台座１が配置されており、この繋ぎ台座１の両端部はＨ鋼梁２の上フランジ21の中央に沿って配設された屋根材支持用のチャンネル形母屋桁４・４の端部に開口する溝部41と41とに差込状態にあり、かつ、当該繋ぎ台座１の両端部近傍の各々には突っ張りネジ12・12が螺入されて同ネジの先端部12ａ・12ａが前記継目板23上に突っ張り圧接して繋ぎ台座１の上面を前記母屋桁４・４の上面レベルと面一に緊結保持しているようにするという技術的手段を採用することによって、鉄骨建造物における屋根の支持組構造を完成させた。
【００１７】
また、本発明は、上記課題を解決するために、必要に応じて上記手段に加え、屋根材Ｙとして折板屋根材が敷き詰められた屋根において、当該折板屋根材を載置するタイトフレームＦを繋ぎ台座１の上面に支持するという技術的手段を採用した。
【００１８】
また、本発明は、一対の溝形鋼１Ａと１Ｂのウェブ14・14同士を背合せ状態に接合して成る棒材であって、当該棒材の両端部には低段部15・15を形成すると共に、この低段部15・15近傍に位置する前記ウェブ14・14同士が接合された接合部には突っ張りネジ12を捻込むための雌ネジ孔11・11を貫設するという技術的手段を採用することによって、鉄骨建造物における屋根の支持組用の繋ぎ台座を完成させた。
【００１９】
また、本発明は、上記課題を解決するために、必要に応じて上記手段に加え、溝形鋼１Ａ・１Ｂの断面を略Ｃ型断面または略コの字型断面にするという技術的手段を採用した。      
【００２０】
更にまた、本発明は、上記課題を解決するために、必要に応じて上記手段に加え、雌ネジ孔11に頭無ネジである突っ張りネジ12を螺装し、かつ、突っ張りネジ12の螺入後に被せネジ13を螺入してダブルナット式に緊結できるようにするという技術的手段を採用した。
【発明の効果】
【００２１】
本発明においては、鉄骨建造物の屋根の支持組における鉄骨接合部のボルト配設部位であっても、溶接作業を必要とせずとも挟間部に安定的に配置することができる繋ぎ台座により、ボルト頭の干渉を受けずに屋根の支持組構造を構築することができる。
【００２２】
また、繋ぎ台座にあっては、ボルト締結作業のみの簡単な工程でネジジャッキの如き確実に固定して、十分な強度で屋根材を確実に支持することができるとともに、この繋ぎ台座を使用することにより、施工業者が工程毎に何度も入れ替わる必要がなくて合理的である。更にまた、繋ぎ台座に予め錆止め塗装やめっき加工を施しておくことによって、補修塗装（タッチアップ）工程を省略することができ、工期の短縮および人件費等のコストダウンを図ることもできることから、実用的利用価値は頗る高いものがあると云える。
【発明を実施するための最良の形態】
【００２３】
本発明を実施するための最良の形態を具体的に図示した図面に基いて更に詳細に説明すると次のとおりである。
【００２４】
本発明の実施形態を図１から図６に基いて説明する。図中、符号１で指示するものは繋ぎ台座であり、本実施形態では、この繋ぎ台座１は一対の溝形鋼１Ａと１Ｂのウェブ14同士（図中の14Ａ・14Ｂ）を背合せ状態に接合して成る棒材であって、当該棒材の両端部には低段部15・15が形成されていると共に、この低段部15・15近傍に位置する前記ウェブ14・14同士が接合された接合部には突っ張りネジ12を捻込むための雌ネジ孔11が、図中の凹溝11Ａおよび11Ｂを接合することにより貫設されている（図５参照）。
【００２５】
この際、溝形鋼１Ａ・１Ｂの断面が略Ｃ型断面または略コの字型（「］」「［」）断面のものを採用することができる。具体的には、溝形鋼として軽量鉄骨やＣ型チャンネルなどを採用することができ、溶接点ｗにおいて、スポット溶接（spot welding）して接合することによって、図１に符号１で指示する異形棒材が形成される。従って、部材作製の材料効率が良くて生産性が良く、しかも、構造的にも十分な強度を有する。
【００２６】
また、符号２で指示するものはＨ鋼梁であり、このＨ鋼梁２は一般的に用いられる断面Ｈ形の鋼材である。更にまた、符号３で指示するものは緊結ボルトであり、通常用いられる高張力ボルトであり、符号４で指示するものは母屋桁であり、屋根材を支持する棒状の部材である。
【００２７】
しかして、本実施形態にあっては、Ｈ鋼梁２と２の突合わせ部位同士を継目板23・23を介し緊結ボルト３・３…により連結して鉄骨建造物における屋根の支持組構造を構築する方法であって、具体的施工手順を以下に説明する。
【００２８】
まず、前記Ｈ鋼梁２の上フランジ21に、前記緊結ボルト３・３…が左右に列設された当該Ｈ鋼梁突合せ連結部におけるボルト配設部位を空けて、屋根材Ｙを支持するためのチャンネル形の母屋桁４・４…を配設する（図１参照）。この母屋桁４としては、軽量でかつ強度の高いリップ溝形鋼を使用することができる。
【００２９】
そして、図２に示すように、この母屋桁４と４との間に空いた前記上フランジ21上のボルト配設部位には、両端部近傍に雌ネジ孔11・11を貫設した繋ぎ台座１を上フランジの左右に並ぶ緊結ボルト３・３…の挟間部に配置して、当該台座１の両端部を前記母屋桁４・４の溝部41・41に差込む。
【００３０】
次いで、図３に示すように、前記繋ぎ台座１の前記雌ネジ孔11・11に突っ張りネジ12・12を捻込んで当該ネジの先端部12ａ・12ａを挟間部に位置する継目板23に螺進せしめることにより当該繋ぎ台座１全体を浮上させる。
【００３１】
このようにして、母屋桁４・４の溝部41・41に差込み状態にある台座１の両端部を各々溝部41に圧接せしめ、母屋桁４・４と繋ぎ台座１の上面レベルを面一に緊結固定して屋根材支持面を形成することができる（図４参照）。
【００３２】
なお、本実施形態では、繋ぎ台座１の突っ張りネジ12に頭無ネジを使用し、突っ張りネジ12を締め付けた後、当該雌ネジ孔11に被せネジ13を螺入することによって、前記突っ張りネジ12をダブルナット式に緊結することができる。
【００３３】
なお、その他突っ張りネジ12の緩みや抜けを防止する手段としては、例えば、雌ネジ孔11のピッチと異なる突っ張りネジ12を使用することにより抵抗を大きくしたり、また、突っ張りネジ12を螺入した後に、雌ネジ孔11内のネジ山を削るというものがある。
【００３４】
また、本実施形態では、繋ぎ台座１の両端部上面に低段部15を形成したことにより、この低段部15による沈み部を母屋桁４の溝部41に圧接して、母屋桁４・４と繋ぎ台座１の上面レベルを面一に緊結固定して屋根材支持面を形成することができ、しかも、位置決めすることも容易である。
【００３５】
なお、本実施形態において構成した母屋桁に載置する屋根材Ｙは特に限定されないけれども、例えば、図６に示すように、鉄骨建造物に多く採用されている折板屋根材を敷き詰める屋根において採用することができ、折板屋根材を載置および固定するタイトフレームＦを繋ぎ台座１の上面に支持することができる。
【００３６】
なお、Ｈ鋼梁２の鉄骨フランジ21の前記突合わせ部位の上面に並設された列は、前記緊結ボルト３・３…であるに限らず、当該緊結ボルト３と一対を構成しているナットが並列したものであっても良い。
【００３７】
本発明は、概ね上記のように構成されるが、本発明は図示の実施形態に限定されるものでは決してなく、「特許請求の範囲」の記載内において種々の変更が可能であって、例えば、繋ぎ台座１は、上記のように組立式のものに限らず、一体に成形されているものなどを採用しても良い。また、繋ぎ台座１の端部と母屋桁４の溝部41との関係においては、溝部41に掛合する凹凸嵌合式になっているものであれば、断面形状も設計の変更も可能であり、何れのものも本発明の技術的範囲に属する。
【図面の簡単な説明】
【００３８】
【図１】本発明の実施形態の屋根支持組構造を表わす斜視図である。
【図２】本発明の実施形態の屋根支持組の施工手順を表わす説明側面図である。
【図３】本発明の実施形態の屋根支持組の施工手順を表わす説明側面図である。
【図４】本発明の実施形態の屋根支持組構造を表わす斜視図である。
【図５】本発明の実施形態の繋ぎ台座の構造を表わす分解斜視図である。
【図６】本発明の実施形態の屋根材が折板屋根である場合の屋根支持組構造を表わす説明斜視図である。
【図７】従来の屋根支持組を表わす斜視図である。
【符号の説明】
【００３９】
１          繋ぎ台座
１Ａ・１Ｂ  溝形鋼
11          雌ネジ孔
11Ａ・11Ｂ  凹溝
12          突っ張りネジ
12ａ        先端部
13          被せネジ
14          ウェブ
14Ａ・14Ｂ  接合面
15          低段部
２          Ｈ鋼梁
21          鉄骨フランジ
22          鉄骨ウェブ
23          継目板
３          緊結ボルト
31          ボルト頭部
４          母屋桁
41          溝部
ｗ          スポット溶接点
Ｙ          屋根材
Ｆ          タイトフレーム
【図１】
2005146710.tif 000003
【図２】
2005146710.tif 000004
【図３】
2005146710.tif 000005
【図４】
2005146710.tif 000006
【図５】
2005146710.tif 000007
【図６】
2005146710.tif 000008
【図７】
2005146710.tif 000009